(57)【要約】【課題】  応答速度が改善される液晶表示装置及びその表示方法を提供する。【解決手段】  本発明は、液晶表示装置及びこれを利用した表示方法に関する。本発明による液晶表示装置は、映像信号が順次的に走査される表示部と；以前フレームの映像信号、現在フレームの映像信号及び複数の補償テーブルを利用して、映像信号が前記表示部に走査される時点に従って異なる補償程度を有するように映像信号を補償し、補償された映像信号を現在フレームとして前記表示部に出力する映像処理部と；を含む。【選択図】      図４Ｂ
2010156972.tif 000002
【特許請求の範囲】
【請求項１】
液晶表示装置において、
映像信号が順次的に走査される表示部と；
以前フレームの映像信号、現在フレームの映像信号及び複数の補償テーブルを利用して、前記表示部に走査される時点に従って異なる補償程度を有するように映像信号を補償し、補償された映像信号を現在フレームとして前記表示部に出力する映像処理部と；
を含むことを特徴とする液晶表示装置。
【請求項２】
一つのフレームの映像信号が走査される間に、走査される時点が遅れるほど補償程度が大きいことを特徴とする請求項１に記載の液晶表示装置。
【請求項３】
前記補償テーブルは、動的キャパシタンス補償テーブルを含むことを特徴とする請求項１に記載の液晶表示装置。
【請求項４】
前記映像信号は、左眼用映像信号及び右眼用映像信号を含み、
前記映像処理部は、前記左眼用映像信号と前記右眼用映像信号を補償して、前記表示部に交互に出力することを特徴とする請求項１に記載の液晶表示装置。
【請求項５】
外部のシャッター眼鏡を交互に開放させる制御信号を出力する信号送信部をさらに含むことを特徴とする請求項４に記載の液晶表示装置。
【請求項６】
一つのフレームは、映像信号が走査される映像走査区間と走査された映像信号を維持するブランキング区間を有し、
前記制御信号は、前記ブランキング区間で前記シャッター眼鏡を開放させることを特徴とする請求項５に記載の液晶表示装置。
【請求項７】
外部のシャッター眼鏡を交互に閉鎖させる制御信号を出力する信号送信部をさらに含むことを特徴とする請求項４に記載の液晶表示装置。
【請求項８】
前記複数の補償テーブルを貯蔵している貯蔵部をさらに含むことを特徴とする請求項１に記載の液晶表示装置。
【請求項９】
前記複数の補償テーブルは、第１時点に対応する第１補償テーブルと、前記第１時点と異なる第２時点に対応する第２補償テーブルと、を含み、
前記映像処理部は、前記第１補償テーブルと前記第２補償テーブルに基づいて補間値を演算し、前記補間値を利用して前記第１時点と前記第２時点の間に走査される映像信号を補償することを特徴とする請求項１に記載の液晶表示装置。
【請求項１０】
表示部を含む液晶表示装置の表示方法において、
以前フレームの映像信号及び現在フレームの映像信号を受信する段階と；
前記以前フレームの映像信号、前記現在フレームの映像信号及び既に貯蔵されている複数の補償テーブルを利用して、前記表示部に走査される時点に従って異なる補償程度を有するように映像信号を補償する段階と；
補償された映像信号を現在フレームとして前記表示部に順次的に走査する段階と；
を含むことを特徴とする液晶表示装置の表示方法。
【請求項１１】
一つのフレームの映像信号が走査される間に、走査される時点が遅れるほど補償程度が大きいことを特徴とする請求項１０に記載の液晶表示装置の表示方法。
【請求項１２】
前記補償テーブルは、動的キャパシタンス補償テーブルを含むことを特徴とする請求項１０に記載の液晶表示装置の表示方法。
【請求項１３】
前記複数の補償テーブルは、第１時点に対応する第１補償テーブルと、前記第１時点と異なる第２時点に対応する第２補償テーブルと、を含み、
前記映像を補償する段階は、
前記第１補償テーブルと前記第２補償テーブルに基づいて補間値を演算する段階と、
前記補間値を利用して前記第１時点と前記第２時点の間に走査される映像信号を補償する段階と、
を含むことを特徴とする請求項１０に記載の液晶表示方法。
【請求項１４】
映像信号は、左眼用映像信号及び右眼用映像信号を含み、
前記左眼用映像信号と前記右眼用映像信号は交互に前記表示部に出力されることを特徴とする請求項１０に記載の液晶表示装置の表示方法。
【請求項１５】
一つのフレームは、映像信号が走査される映像走査区間と走査された映像信号を維持するブランキング区間を有し、
外部のシャッター眼鏡を前記ブランキング区間の間に交互に開放させる制御信号を出力する段階をさらに含むことを特徴とする請求項１４に記載の液晶表示装置の表示方法。
【発明の詳細な説明】
【技術分野】
【０００１】
本発明は、液晶表示装置及びこれを利用した表示方法に係り、さらに詳しくは、立体映像を表示する液晶表示装置及びこれを利用した表示方法に関する。
【背景技術】
【０００２】
技術の発展に従ってディスプレイ装置は、ディジタル/アナログの可否に関係なく様々な形態のビデオ信号を処理してディスプレイし、最近には３次元映像信号という立体映像をユーザーが一般に使用し得るモニターまたはテレビーのようなディスプレイ装置を通じて見ることができる。一般に、立体映像信号は、２次元映像信号とは異なりに一つのイメージを人間の右眼及び左眼のための分離が必要であり、または分離されたイメージをそれぞれユーザーの左眼用及び右眼用にディスプレイすることが必要である。
【０００３】
右眼用及び左眼用にそれぞれ分離されたイメージを利用して立体映像を経験するためにユーザーは位相差フィルターを装着した偏光眼鏡方式なりシャッターをオンオフしながら左右の画面が交互に表示されるシャッターグラス方式なりで画面を見なければならない。
【０００４】
一方、ディスプレイ装置の中で液晶表示装置（Liquid  Crystal  Display）は、二つの基板の間に注入される異方性誘電率を有する液晶物質に電界を引加し、この電界の強さを調節して基板に透過される光の量を調節することによって希望する映像を得る表示装置である。液晶表示装置の場合、電界に反応する応答速度は動映像の残像防止及びピンぼけ防止のためにはとても大切な要因になる。
【発明の概要】
【発明が解決しようとする課題】
【０００５】
本発明は、応答速度が改善される液晶表示装置及びこれを利用した表示方法を提供することを目的とする。
【０００６】
本発明は、左眼用映像と右眼用映像の残像が防止される液晶表示装置及びこれを利用した表示方法を提供することを目的とする。
【課題を解決するための手段】
【０００７】
本発明の一つの実施形態は、液晶表示装置において、映像信号が順次的に走査される表示部と；以前フレームの映像信号、現在フレームの映像信号及び複数の補償テーブルを利用して映像信号が前記表示部に走査される時点に従って異なる補償程度を有するように映像信号を補償し、補償された映像信号を現在フレームとして前記表示部に出力する映像処理部と；を含むことを特徴とする。
【０００８】
一つのフレームの映像信号が走査される間に、走査される時点が遅れるほど前記補償程度が大きいことが好ましい。
【０００９】
前記補償テーブルは、動的キャパシタンス補償（Dynamic  Capacitance  Compensation：ＤＣＣ）テーブルを含むことができる。
【００１０】
映像信号は、左眼用映像信号及び右眼用映像信号を含み、前記映像処理部は、前記左眼用映像信号と前記右眼用映像信号を補償して、前記表示部に交互に出力する。
【００１１】
外部のシャッター眼鏡を交互に開放させる制御信号を出力する信号送信部をさらに含む。
【００１２】
一つのフレームは、映像信号が走査される映像走査区間と走査された映像信号を維持するブランキング区間を有し、映像信号のオーバーラップを防止するため前記制御信号は、前記ブランキング区間で前記シャッター眼鏡を開放させることが好ましい。
【００１３】
前記複数の補償テーブルを貯蔵している貯蔵部をさらに含むことができる。
【００１４】
前記複数の補償テーブルは、第１時点に対応する第１補償テーブルと前記第１時点と異なる第２時点に対応する第２補償テーブルを含み、前記映像処理部は、前記第１補償テーブルと前記第２補償テーブルに基づいて補間値を演算し、前記補間値を利用して前記第１時点と前記第２時点との間に走査される映像信号を補償することができる。
【００１５】
本発明の他の実施形態は、表示部を含む液晶表示装置の表示方法において、以前フレームの映像信号及び現在フレームの映像信号を受信する段階と；前記以前フレームの映像信号、前記現在フレームの映像信号及び既に貯蔵されている複数の補償テーブルを利用して、前記表示部に走査される時点に従って異なる補償程度を有するように映像信号を補償する段階と；補償された映像信号を現在フレームとして前記表示部に順次的に走査する段階と；を含むことを特徴とする。
【発明の効果】
【００１６】
本発明の実施形態によると、応答速度が改善される液晶表示装置及びその表示方法を提供することができる。
【００１７】
また、本発明の実施形態によると、左眼用映像と右眼用映像の残像が防止される液晶表示装置及びその表示方法を提供することができる。
【図面の簡単な説明】
【００１８】
【図１】本発明の一つの実施形態による液晶表示装置の制御ブロック図である。
【図２】図１の液晶表示装置による映像信号の走査を説明するための信号波形図である。
【図３】図１の液晶表示装置に映像信号が走査される時点を説明するための表示部である。
【図４Ａ】図１の液晶表示装置による映像信号補償を説明するための映像信号の階調電圧を説明したグラフである。
【図４Ｂ】図１の液晶表示装置による映像信号補償を説明するための映像信号の階調電圧を説明したグラフである。
【図５】図１の液晶表示装置の一つの実施形態による補償テーブルを説明するための表示部である。
【図６】図１の液晶表示装置の他の実施形態による補償テーブルを説明するための表示部である。
【図７】図１の液晶表示装置の表示方法を説明するための制御フローチャートである。
【発明を実施するための形態】
【００１９】
以下、添付図面を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明と関係ない部分は省略し、明細書の全体を通じて同一または類似な構成要素に対しては同一な参照符号を付ける。
【００２０】
図１は本発明の一つの実施形態に対する液晶表示装置の制御ブロック図である。図面に示すように、液晶表示装置１００は、表示部１０、信号送信部２０、以前フレームの映像信号を貯蔵するフレームバッファー４０、補償テーブルを貯蔵している貯蔵部５０及び映像信号を処理する映像処理部３０を含む。本発明による液晶表示装置１００は、放送信号を処理して表示するテレビまたはコンピュータ本体と連結されているモニター、携帯電話のような携帯用端末機で具現されることができる。
【００２１】
このような液晶表示装置１００は、２次元映像信号、即ち平面映像信号を受信して表示することもできるし、３次元映像信号、即ち立体映像信号を受信して表示することもできる。立体映像信号は、ユーザーの左眼用映像信号及び右眼用映像信号に分離され、分離された映像信号は左眼用と右眼用が順次にまた交互に表示される。
【００２２】
表示部１０は、液晶パネル（図示せず）及び液晶パネルを駆動させるパネル駆動部（図示せず）を含み、映像処理部３０から出力される映像信号を表示する。液晶パネルは、薄膜トランジスター及びカラー層を含む二つの基板と二つの基板の間に挿入される液晶層で構成される。映像信号に対応する階調電圧が液晶層に引加されると、液晶の配列が変わり、液晶層を透過する光の量が調節される。映像の色相は、カラー層を通過した光によって調節され、映像の輝度は光の量によって調節される。液晶が階調電圧に反応して配列される速度である応答速度が速ければ速いほど残像が減少し画質が向上されるので、応答速度は液晶パネルを駆動する大切なイシューになる。映像信号は表示部１０の一定の方向に従って走査され、特定周期の間に一つのフレームの映像信号が表示される。表示部１０は通常的に長方形である。
液晶表示装置１００は、表示部１０に光を提供するバックライトアセンブリー（図示せず）をさらに含み、バックライトアセンブリーはランプのような線光源または発光ダイオードのような点光源などを含むことができる。
【００２３】
信号送信部２０は、シャッター眼鏡２００の左シャッターと右シャッターを交互に開放させるための制御信号をシャッター眼鏡２００に送信する。立体映像信号の中で左眼用映像信号はシャッター眼鏡２００の左方が開放される時にユーザーの左眼によって視認され、右眼用映像信号はシャッター眼鏡２００の右方が開放される時にユーザーの右眼によって視認される。即ち、本実施形態による液晶表示装置１００は、シャッターグラス方式で立体映像信号を表示する。信号送信部２０は、赤外線送信部を含むことができる。
【００２４】
シャッター眼鏡２００は、信号送信部２０から出力される制御信号に同期して左シャッターと右シャッターを交互に開閉させる。シャッター眼鏡２００は、液晶シャッターを含むことができる。
【００２５】
映像処理部３０は、外部から入力される立体映像信号を処理して表示部１０に表示し、特定時間の間にシャッター眼鏡２００が開放されるように信号送信部２０を制御する。図２は、本実施形態による映像信号の走査を説明するための信号波形図である。図示すように、一つのフレームの映像信号は、特定周期（Ｔ）の間に表示部１０に表示され、各フレームの映像信号は（ａ）の垂直同期信号によって区分されることができる。（ｂ）のように左映像信号と右映像信号は、周期（Ｔ）毎に交互に表示部１０に表示される。一つのフレームは、映像信号が走査される映像走査区間（ＴＳ）と走査された映像信号を維持するブランキング区間（ＴＢ）に構成される。ブランキング区間（ＴＢ）は、表示部１０の解像度、液晶層の応答速度などを考慮して相異に調節されることができるし、おおよそ周期（Ｔ）の２０％乃至４０％程度に設定されることができる。本実施形態による信号送信部２０は、映像信号が全部走査されてから映像信号が維持されるブランキング区間（ＴＢ）が始まる時点（ｔ０）にシャッター眼鏡２００が開放されるように制御信号を出力する。映像走査区間（ＴＳ）の間には、シャッター眼鏡２００が閉鎖されるのでユーザーは映像を視認することができない。
【００２６】
２次元映像信号のブランキング区間は、３次元映像信号のブランキング区間（ＴＢ）より短い。２次元映像信号の場合に、左映像信号と右映像信号の区別が無いので、映像信号が走査される間にユーザーが映像を見ても問題が発生しない。しかし、３次元映像信号の場合には、フレーム別に左映像信号と右映像信号が交互に表示されるので、映像信号が走査される間に左映像信号と右映像信号が一つのフレームに共存する。ユーザーが映像走査区間（ＴＳ）の間に映像を見る場合、以前フレームに対する残像によって映像が不分明にオーバーラップされる問題が発生することができる。従って、これを防止するために、立体映像信号の場合、映像信号が表示部１０に完全に走査された後ブランキング区間（ＴＢ）だけでシャッター眼鏡２００が開放される。
【００２７】
本発明の一実施形態によると、バックライトアセンブリーは、消費電力の減少のために、ユーザーが映像を視認するブランキング区間（ＴＢ）の間だけに光りを提供し、映像走査区間（ＴＳ）の間には光りを遮断することができる。
【００２８】
図３は映像信号が表示部１０に走査される時点を説明するための図である。上述したように、映像信号は、表示部１０の短辺方向に従って順次的に走査される。一つのフレームの映像信号が走査され始まる毎時点を０時点に思うと、表示部１０の上端に位置する第１地点（I）に映像信号が引加される第１時点（ｔ１）は、第１地点（I）より下に位置する第２地点（II）及び第３地点（III）に映像信号が引加される第２時点（ｔ２）及び第３時点（ｔ３）より速い。フレームの映像信号が全部走査された後にシャッター眼鏡２００が開放されるので、映像信号が引加された後ユーザーに露出される時までの時間は映像信号の走査時点に従って異なる。第１地点（I）の映像信号は、引加後ＴＳ−ｔ１が経過すればユーザーに視認され、第２地点（II）の映像信号はＴＳ−ｔ２、第３地点（III）の映像信号はＴＳ−ｔ３後にユーザーに視認される。即ち、映像信号の走査時点が遅いほど引加後に速い時間内に映像信号がユーザーに露出される。
【００２９】
映像処理部３０は、映像信号に対して以前フレームの映像信号、現在フレームの映像信号及び複数の補償テーブルを利用して液晶の応答速度を改善するための補償を行う。上述のように、引加される電圧に反応して液晶が所定の目標電圧（即ち、映像信号に対応する階調電圧）まで充電されるまでにはどのくらいの時間が必要である。電圧に反応する液晶の応答速度が遅い場合、ピンぼけ現象によって動映像を具現することが難しい。液晶の遅い応答速度を改善するために、設定されている階調より高い階調に該当する電圧を液晶に引加する動的キャパシタンス補償方式が使用される。図４Ａは、ＤＣＣが行われた場合、映像信号の階調電圧を示すグラフである。現在フレームの映像信号の階調電圧（Ｖｃ）が以前フレームの映像信号の階調電圧（Ｖｐ）と同一でなくさらに高い場合、オーバードライビングされた補償電圧（Ｖｒ）が現在フレームの映像信号と引加される。現在フレームの映像信号の階調電圧が以前フレームの映像信号の階調電圧より低い場合、アンダードライビングされて現在フレームの映像信号の階調電圧より低い電圧が映像信号と引加される。図４Ａの（１）は、ＤＣＣに液晶層が反応する液晶電圧を示す。液晶層は、オーバードライビングによって現在フレームの映像信号の階調電圧（Ｖｃ）より高い電圧で充電されてから現在フレームの映像信号の階調電圧（Ｖｃ）に収斂する。このような補償電圧（Ｖｒ）は、以前フレームの映像信号の階調電圧（Ｖｐ）と現在フレームの映像信号の階調電圧（Ｖｃ）の差異値に従って決定され、補償電圧（Ｖｒ）に関する補償テーブルはルックアップテーブルの形態で貯蔵されている。
【００３０】
本実施形態のように、３次元映像信号を表示する時にＤＣＣを行う場合、映像信号が走査される時点別に補償程度が変わる問題がある。図４Ａの（１）のように液晶層は映像信号が引加されてから所定の時間が経過した後に希望する階調電圧に到達する。図３で一番先に走査された第１地点（I）の液晶層は、シャッター眼鏡２００が開放されると、図４Ａの第１液晶電圧（VI）を有するが、第１地点（I）より遅く走査された第２地点（II）の第２液晶電圧（VII）は第１液晶電圧（VI）より低い。その上に、第３地点（III）の液晶層は、走査された後にすぐにユーザーに露出されるのでユーザーは第３液晶電圧（VIII）に対応する映像を視認することになる。映像信号が走査された後、同一の時間が経過しない状態でシャッター眼鏡２００が開放されるので３次元映像信号は不均一に補償される。この場合、映像信号は遅く走査されるほど応答速度が低くて残像が生成される問題がある。
【００３１】
本実施形態による映像処理部３０は、映像信号の応答速度を改善し、実質的に液晶層に適用される補償程度を均一に調節するために、複数の補償テーブルを利用する。図示すように、現在フレームの映像信号は、映像処理部３０に供給され、フレームバッファー４０には以前フレームの映像信号に貯蔵される。フレームバッファー４０に貯蔵された現在フレーム映像信号は、次のフレーム映像信号を補償する時に以前フレームの映像信号と使用される。貯蔵部５０に貯蔵されている複数の補償テーブルは、異なる補償程度を有し、走査時点が速い映像信号には補償程度の小さい補償テーブルが、走査時点が遅い映像信号には補償程度が大きい補償テーブルが使用される。即ち、映像信号は、走査される時点が遅ければ遅いほど大きく補償され、走査時点が速ければ早いほど小さく補償される。
【００３２】
このように、複数の補償テーブルによって映像信号が補償されれば、図４Ｂのような液晶電圧グラフが導出される。各地点（I、II、III）に引加される補償電圧（VI’、VII’、VIII’）は元来現在フレームの映像信号の階調電圧（Vｃ）より高く、第３地点（III）に引加される補償電圧（VIII’）、第２地点に引加される補償電圧（VII’）、第１地点（I）に引加される補償電圧（VI’）の順に低い値を有する。一番先に映像信号が走査される第１地点（I）には一番小さい補償程度を有する補償テーブルが適用され、一番後に映像信号が走査される第３地点（III）には一番大きい補償程度を有する補償テーブルが適用される。各地点（I、II、III）に対する液晶電圧（２）、（３）、（４）は、シャッター眼鏡２００が開放される時点（ｔ０）に殆ど類似な電圧（Ｖｇ）を有する。補償テーブルの補償程度はシャッター眼鏡２００に開放されてから新しいフレームの映像信号が引加される間（Ｔ−ｔ０）に変わる液晶電圧と以前フレームの映像信号と現在フレームの映像信号との差異等を考慮して設定されることができる。
【００３３】
図５及び図６は、映像信号を補償する時に使用する補償テーブルを説明するための図面である。図５に示すように、表示部１０は、三つの領域に分けられて、各領域別に異なる補償テーブルによって映像信号が補償される。このような補償テーブルは、テスト映像信号と輝度計測器を利用して生成される。特定の階調を有するテスト映像信号が表示部１０に走査されれば、輝度計測器によって輝度が測定される。その後、希望する輝度を得る時までテスト映像信号の階調電圧が調節されることによって、補償テーブルの補償電圧が形成される。複数の補償テーブルを得るために表示部１０の互いに異なる領域でテスト映像の輝度が測定される。
【００３４】
図６は、他の実施形態による補償方法を説明するための図である。本実施形態によると、表示部１０を複数の領域に分けて、領域別に補償テーブルを適用することではなく、図面に示すように、特定の地点に対してだけ補償テーブルを適用する。貯蔵部５０には第１地点に対応する第１補償テーブルと第２地点に対応する第２補償テーブルを含んで第４地点に対応する第４補償テーブルまで、全部四つの補償テーブルが貯蔵されている。
【００３５】
映像処理部３０は、第１地点前に走査される映像信号を補償する時には第１補償テーブルを適用し、第１地点と第２地点との間に走査される映像信号を補償する時には第１補償テーブルと第２補償テーブルを全部利用する。映像処理部３０は第１補償テーブルと第２補償テーブルの値に基づいて補間値を演算し、補間値を利用して第１地点と第２地点との間に走査される映像信号を補償する。二つのデータを利用して中間値を補間する方法は公知された様々な方法によって具現されることができる。本実施形態の場合、第１補償テーブルに含まれた補償電圧と第２補償テーブルに含まれた補償電圧を利用し、映像信号が走査される時点を変数にして補間値が生成される。このような方式で第２地点と第３地点との間に、第３地点と第４地点との間に走査される映像信号が補償される。本実施形態によって映像信号が補償される場合、映像信号の補償程度が走査時点別にさらに細密に調節されることができる。
【００３６】
上述した補償テーブルの個数、液晶電圧の形状などは本発明を説明するための一例に過ぎなく、本発明の権利範囲はこれに限定されない。
【００３７】
図７は、図１の液晶表示装置の表示方法を説明するための制御フローチャートである。これを参照して本発明による映像信号の表示方法に対して説明すれば次の通りである。
【００３８】
まず、液晶表示装置１００は、立体映像に含まれている左映像信号と右映像信号を交互に受信する（Ｓ１０）。
【００３９】
映像処理部３０は、以前フレームの映像信号、現在フレームの映像信号及び貯蔵部５０に貯蔵されている複数の補償テーブルを利用して映像信号が走査される時点に従って異なる補償程度を有するように映像信号を補償する（Ｓ２０）。走査される時点が遅ければ遅いほど液晶層の応答速度を速く増加させるための補償程度が大きくなる。
【００４０】
映像処理部３０は、補償された映像信号を現在フレームとして特定の方向に従って表示部１０に順次的に走査する（Ｓ３０）。
【００４１】
映像信号の走査が完了されれば、走査された映像信号が維持されるブランキング区間（ＴＢ）の間でシャッター眼鏡２００に開放させる制御信号がシャッター眼鏡２００に出力される（Ｓ４０）。
【００４２】
制御信号に従ってシャッター眼鏡２００の左シャッターと右シャッターが交互に開放され、ユーザーはシャッター眼鏡２００の開放に対応して左映像信号と右映像信号を交互に視認することができる。
【００４３】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００４４】
１０    表示部
２０    信号送信部
３０    映像処理部
４０    フレームバッファー
５０    貯蔵部
１００  液晶表示装置
２００  シャッター眼鏡
【図１】
2010156972.tif 000003
【図２】
2010156972.tif 000004
【図３】
2010156972.tif 000005
【図４Ａ】
2010156972.tif 000006
【図４Ｂ】
2010156972.tif 000007
【図５】
2010156972.tif 000008
【図６】
2010156972.tif 000009
【図７】
2010156972.tif 000010